(57)【要約】【課題】  携帯に便利で、拡張性を持ち、幅広く適用される携帯型電源供給システムを提供する。【解決手段】  本考案の構造は、電源供給主体と、電源供給主体に設けられるUSBコンセントと、一組の充電線とが含有され、当該組充電線の一端には、電源供給主体のUSBコンセントに合わせるUSBプラグが設けられる。USBコンセントの設計により、電源供給主体が供給する電源が伝達され、充電線のUSBプラグともう一つの伝送端を介して、携帯型電器に対して充電する。【選択図】図１
0003115477.tif 000002
【実用新案登録請求の範囲】
【請求項１】
携帯型消費性電子製品に対して必要とする電源を提供する携帯型電源供給システムであって、
必要とする電源を供給する電源供給主体と、
電源供給主体に設けられ、電源供給主体が出力する電源を引き受けるUSBコンセントと、
一端に、電源供給主体のUSBコンセントに合わせるUSBプラグが設けられ、もう一端に、携帯型応用性電子製品や消費性電子製品の充電器のスペックに対応する対応プラグが設けられる一組の充電線と、
が含有されることを特徴とする携帯型電源供給システム。
【請求項２】
当該電源供給主体は、ハウジングによって覆われ、ハウジング内に、電源を供給するための一般の直流電池や電源変換回路基板を収納する収納空間が形成されることを特徴とする請求項１に記載の携帯型電源供給システム。
【請求項３】
当該直流電池は、交流電流によるものであることを特徴とする請求項２に記載の携帯型電源供給システム。
【請求項４】
当該ハウジングは、組み合わせ可能な且つ取り外し可能な１組のハウジング部品からなり、ハウジング部品には、夫々、ハウジング部品同士を結合するための対応する係合突出と係合穴があることを特徴とする請求項２に記載の携帯型電源供給システム。
【請求項５】
ハウジング部品の上には、更に、ベルトを止めるスライド係合リングが設けられ、容易に携帯でき、便利的である利点が得られることを特徴とする請求項４に記載の携帯型電源供給システム。
【考案の詳細な説明】
【技術分野】
【０００１】
本考案は、携帯型電源供給システムに関し、特に、携帯に便利で、実用的である、例えば、携帯電話やmp3等の携帯型消費性電子製品に対して、必要とする電源を供給する、幅広く適用される充電装置であり、USBコンセントの設計により、電源が供給する電源を出力し、充電線のUSBプラグともう一つの伝送端を介して、携帯型電器に対して充電するものに関する。
【背景技術】
【０００２】
情報技術の素早く発展に伴い、電子製品が提供する機能が向上される。一般の、携帯電話やmp3、そしてPDA等の携帯型応用性電子製品や消費性電子製品において、関する電子設備と装置は、より多様化の機能を追求するため、消費電力が高くなるから、常に再充電をしなければならない問題がある。
【０００３】
しかしながら、従来の充電装置は、家庭用や車用電源を変換して提供することが多く、当該家庭用や車用電源によって提供する場合、電源供給装置は、体積が大きいことと携帯に不便であることのため、郊外やバス或いは地下鉄にいる時、或いはウィンドウショッピングをする時において、充電線があって携帯型電子製品を充電しようとしても、給電装置がないため、充電できない。
【０００４】
また、従来の携帯電話やmp3等の携帯型応用性電子製品や消費性電子製品の充電器は、スペックが異なるため、携帯電話を買い換えると、新しい充電装置を買い換えなければならないのが多いから、ユーザーにとって、非常に不便である。
【０００５】
そのため、従来の充電構造は、容易に携帯されないことと幅広く適用されないことによる不便や実用的でない、解決しなければならない問題がある。
【考案の開示】
【考案が解決しようとする課題】
【０００６】
本考案は、上記の従来の技術の欠点を解消するために、統合型電源供給システムの構成を開発し、一端が異なるスペックであり、一端がUSBプラグである充電線組により、有効的に、上記の構成の欠点を解消できる、容易に携帯されかつ幅広く適用されることにより、有効的に製品に充電電源がない状況に陥ることを避けられる、実用的な携帯型電源供給システムを提供する。
【課題を解決するための手段】
【０００７】
本考案は、上記の目的を達成するため、例えば、携帯電話やmp3等の携帯型消費性電子製品に対して必要とする電源を供給する携帯型電源供給システムを提供し、当該供給システムは、少なくとも、必要とする電源を供給する電源供給主体と、電源供給主体に設けられ、電源供給主体が出力する電源を引き受けるUSBコンセントと、一端に電源供給主体のUSBコンセントに合わせるUSBプラグが、もう一端に携帯型応用電子製品や消費性電子製品の充電器のスペックに対応する対応プラグが、設けられる一組の充電線とが含有され、これにより、USBコンセントにより、電源供給主体が出力した電源を引き受け、当該充電線を介して、当該消費性電子製品に対して充電する。
【０００８】
当該電源供給主体を覆うようにハウジングがあり、当該ハウジングは、組み合わせ可能なかつ取り外し可能な１組のハウジング部品からなり、組み合わせられたハウジングには、一般の直流電池を収納できる収納空間が形成され、そして、電源を供給する電源変換回路基板がある。
【０００９】
また、本考案は、当該USBコンセントの設計により、当該電源供給主体にある直流電池から、電源変換回路基板を介して供給される電源が伝送され、充電線USBプラグともう一つの伝送端を介して、携帯型電器に対して充電する。
【考案を実施するための最良の形態】
【００１０】
以下は、具体実施例により本考案の実施方式を説明し、本技術の熟練者であれば、容易に、本明細書により、本考案の利点と効果が分かる。本考案は、上記の具体実施例によって制限されず、いろいろの変更や修正ができ、勿論、等価な変更や修正は、全てが本考案の登録請求の範囲に含まれる。
【００１１】
まず、図１、２、３を参照しながら、本考案に係わる携帯型電源供給システムは、
【００１２】
必要とする電源を供給し、一般の直流電池12を収納するための収納空間11が形成されるハウジング10と、電源を供給するための直流電流か交流電流による電源変換回路基板13とが含有される電源供給主体1と、
電源供給主体1に設けられ、電源供給主体1が出力する電源を引き受けるUSBコンセント2と、
一端に、電源供給主体のUSBコンセントに合わせるUSBプラグ30が設けられ、もう一端に、携帯型応用性電子製品や消費性電子製品の充電器のスペックに対応する対応プラグ31が、設けられ、USBコンセント2が引き受けた電源供給主体1が出力した電源を、消費性電子製品に対して供給して充電する一組の充電線3とが含有される。
【００１３】
また、図４を参照しながら、本考案において、外側にあるハウジング10は、組み合わせ可能な且つ取り外し可能な１組のハウジング部品10aからなり、ハウジング部品10aには、夫々、ハウジング部品10a同士を結合するための対応する係合突出と係合穴とがあり、ハウジング部品10aを結合した後、ハウジング10の内部には、収納空間が形成され、そして、一つのハウジング部品10aの上には、更に、ベルトを止めるスライド係合リング10bが設けられ、これにより、本考案に係わる携帯型電源供給システムは、容易に携帯でき、便利的である利点が得られる。
【００１４】
図５を参照しながら、本考案によれば、USBコンセント2により、電源供給主体1が供給する電源を外部へ伝送することができ、電子製品4を充電する必要がある場合、当該電子製品4の充電器のスペックに合う充電線3を取り出して、一端にある対応プラグ31を電子製品4に挿し込んで、一端にあるUSBプラグ30をUSBコンセント2に挿し込むことにより、電源供給主体1が供給する電源を電子製品4に送り込むため、幅広く適用される。
【００１５】
上記の実施例は、ただ、本考案の原理や効果を説明するためのものであり、本考案は、其れによって制限されない。本発明の登録請求の範囲に従って等価な変更や修正は、すべてが、本発明の登録請求の範囲に含まれている。
【図面の簡単な説明】
【００１６】
【図１】本考案の外観立体概念図
【図２】本考案の外観立体分解概念図
【図３】本考案に係わる電源供給主体1の上面断面概念図
【図４】本考案に係わる電源供給主体1の側面概念図
【図５】本考案の実施例の概念図
【符号の説明】
【００１７】
1      電源供給主体
10     ハウジング
10a    ハウジング部品
10b    スライド係合リング
11     収納空間
12     直流電池
13     電源変換回路基板
2      USBコンセント
3      充電線組
30     USBプラグ
31     対応プラグ
4     電子製品
【図１】
0003115477.tif 000003
【図２】
0003115477.tif 000004
【図３】
0003115477.tif 000005
【図４】
0003115477.tif 000006
【図５】
0003115477.tif 000007
【手続補正書】
【提出日】平成17年8月12日(2005.8.12)
【手続補正１】
【補正対象書類名】実用新案登録請求の範囲
【補正対象項目名】請求項３
【補正方法】変更
【補正の内容】
【請求項３】
当該直流電池を交流電源に代えることを特徴とする請求項２に記載の携帯型電源供給システム。